(57)【要約】【課題】所望の構図の画像を簡易かつ適切に取得可能な制御装置を提供する。【解決手段】拡大ライブビュー表示を行うために、撮像手段から出力された画像信号に基づく画像データの一部を切り出す画像処理手段（１１１）と、被写体から第１の距離に位置する状態で決定された構図となるように、被写体から第２の距離に位置する場合における拡大ライブビュー表示の拡大率を算出する算出手段（１１２）とを有し、算出手段は、第１の距離に位置する状態で決定されたデフォーカス量に基づいて、第２の距離に位置する場合における拡大率を算出する。【選択図】図１
2017011658.tif 000002
【特許請求の範囲】
【請求項１】
拡大ライブビュー表示を行うために、撮像手段から出力された画像信号に基づく画像データの一部を切り出す画像処理手段と、
被写体から第１の距離に位置する状態で決定された構図となるように、該被写体から第２の距離に位置する場合における前記拡大ライブビュー表示の拡大率を算出する算出手段と、を有し、
前記算出手段は、前記第１の距離に位置する状態で決定されたデフォーカス量に基づいて、前記第２の距離に位置する場合における前記拡大率を算出する、ことを特徴とする制御装置。
【請求項２】
前記算出手段は、非合焦状態で決定された前記デフォーカス量に基づいて、合焦状態における前記拡大ライブビュー表示の拡大率を算出する、ことを特徴とする請求項１に記載の制御装置。
【請求項３】
前記第２の距離は、最短合焦距離であることを特徴とする請求項１または２に記載の制御装置。
【請求項４】
前記算出手段は、前記拡大ライブビュー表示の拡大率が所定の拡大率よりも大きい場合、表示手段に警告を表示する、ことを特徴とする請求項１乃至３のいずれか１項に記載の制御装置。
【請求項５】
前記算出手段は、前記第１の距離と前記第２の距離との差が所定の距離よりも大きい場合、表示手段に警告を表示することを特徴とする請求項１乃至４のいずれか１項に記載の制御装置。
【請求項６】
前記算出手段は、前記拡大ライブビュー表示の拡大率を表示手段に表示することを特徴とする請求項１乃至５のいずれか１項に記載の制御装置。
【請求項７】
前記算出手段は、
ユーザが前記被写体から離れるにつれて、前記拡大ライブビュー表示の拡大率を更新して前記表示手段に表示することを特徴とする請求項６に記載の制御装置。
【請求項８】
前記算出手段は、
前記被写体から第３の距離に位置する場合に決定されたデフォーカス量に基づいて、前記拡大ライブビュー表示の更新拡大率を算出し、
前記更新拡大率が前記拡大率と等しい場合、前記第３の距離は前記第２の距離と等しいと判定する、ことを特徴とする請求項１乃至７のいずれか１項に記載の制御装置。
【請求項９】
撮像手段から出力された画像信号に基づく画像データの一部を切り出す画像処理手段と、
第１のズームレンズ位置でデフォーカス量を算出するデフォーカス量算出手段と、
前記デフォーカス量に基づいて、該第１のズームレンズ位置よりも広角側である第２のズームレンズ位置にズームレンズを駆動する駆動手段と、を有し、
前記画像処理手段は、前記第１のズームレンズ位置で決定された構図となるように、前記第２のズームレンズ位置で取得された前記画像データの一部を切り出す、ことを特徴とする制御装置。
【請求項１０】
前記第１のズームレンズ位置から前記第２のズームレンズ位置までの駆動量が所定の駆動量よりも大きい場合、表示手段に警告を表示する警告手段を更に有する、ことを特徴とする請求項９に記載の制御装置。
【請求項１１】
前記警告は、画質劣化警告であることを特徴とする請求項１０に記載の制御装置。
【請求項１２】
前記警告は、被写体が焦点距離の範囲外に位置することを示す警告であることを特徴とする請求項１０に記載の制御装置。
【請求項１３】
前記駆動手段は、前記デフォーカス量に基づいて前記駆動量を算出することを特徴とする請求項１０乃至１２のいずれか１項に記載の制御装置。
【請求項１４】
前記画像処理手段は、トリミングモードに設定されている場合、前記第１のズームレンズ位置で決定された構図となるように、前記第２のズームレンズ位置で取得された前記画像データの一部を切り出すことを特徴とする請求項９乃至１３のいずれか１項に記載の制御装置。
【請求項１５】
撮像光学系を介して形成された被写体像を光電変換して画像信号を出力する撮像手段と、
前記画像信号に基づく画像データの一部を切り出す画像処理手段と、
前記画像データの一部に対して拡大ライブビュー表示を行う表示手段と、
被写体から第１の距離に位置する状態で決定された構図となるように、該被写体から第２の距離に位置する場合における前記拡大ライブビュー表示の拡大率を算出する算出手段と、を有し、
前記算出手段は、前記第１の距離に位置する状態で決定されたデフォーカス量に基づいて、前記第２の距離に位置する場合における前記拡大率を算出する、ことを特徴とする撮像装置。
【請求項１６】
撮像光学系を介して形成された被写体像を光電変換して画像信号を出力する撮像手段と、
前記画像信号に基づく画像データの一部を切り出す画像処理手段と、
第１のズームレンズ位置でデフォーカス量を算出するデフォーカス量算出手段と、
前記デフォーカス量に基づいて、該第１のズームレンズ位置よりも広角側である第２のズームレンズ位置にズームレンズを駆動する駆動手段と、を有し、
前記画像処理手段は、前記第１のズームレンズ位置で決定された構図となるように、前記第２のズームレンズ位置で取得された前記画像データの一部を切り出す、ことを特徴とする撮像装置。
【請求項１７】
被写体から第１の距離に位置する状態でデフォーカス量を算出するステップと、
前記被写体から前記第１の距離に位置する状態で決定された構図となるように、該被写体から第２の距離に位置する場合における拡大ライブビュー表示の拡大率を算出するステップと、
撮像手段から出力された画像信号に基づく画像データの一部を切り出して前記拡大ライブビュー表示を行うステップと、をコンピュータに実行させるプログラムであって、
前記拡大率を算出するステップにおいて、前記第１の距離に位置する状態で決定されたデフォーカス量に基づいて前記第２の距離に位置する場合における前記拡大率を算出する、ことを特徴とするプログラム。
【請求項１８】
第１のズームレンズ位置でデフォーカス量を算出するステップと、
前記デフォーカス量に基づいて、該第１のズームレンズ位置よりも広角側である第２のズームレンズ位置にズームレンズを駆動するステップと、
撮像手段から出力された画像信号に基づく画像データの一部を切り出して記録するステップと、をコンピュータに実行させるプログラムであって、
前記画像データの一部を切り出して記録するステップにおいて、前記第１のズームレンズ位置で決定された構図となるように、前記第２のズームレンズ位置で取得された前記画像データの一部を切り出して記録する、ことを特徴とするプログラム。
【請求項１９】
請求項１７または１８に記載のプログラムを記憶していることを特徴とする記憶媒体。
【発明の詳細な説明】
【技術分野】
【０００１】
本発明は、ライブビュー機能を有する撮像装置に関する。
【背景技術】
【０００２】
コンパクトデジタルカメラやデジタル一眼レフカメラなどの多くの撮像装置には、ライブビュー機能が搭載されている。ライブビュー機能とは、撮像素子による連続撮像を行い、レンズを介して取得した像をリアルタイムで液晶画面に表示させる機能である。また近年では、撮像素子の一部の範囲のみを液晶画面に表示させる拡大ライブビュー表示動作が可能な撮像装置がある。
【０００３】
特許文献１には、拡大ライブビュー表示動作中に被写体情報が変動した場合、変動後の被写体情報に応じて拡大表示範囲を更新する撮像装置が開示されている。
【先行技術文献】
【特許文献】
【０００４】
【特許文献１】特開２０１１−１０３５５０号公報
【発明の概要】
【発明が解決しようとする課題】
【０００５】
ところで、撮像装置の最至近距離よりも近い位置に被写体が位置しているシチュエーションでは、被写体にピントが合わず撮影できない可能性や、ピントが合わない状態で撮影を行い撮影に失敗してしまう可能性がある。このような場合、撮像装置と被写体との間の距離を大きくするか、または、レンズのズーム位置を広角側にシフトさせることにより合焦可能になるが、ユーザが望む構図とは異なる構図になってしまう。また、構図の異なる画像を取得した後でトリミングを実施することにより、所望の構図を実現可能であるが、ユーザの作業は増加する。
【０００６】
特許文献１に開示された撮像装置は、被写体の構図が変化した場合、撮像装置が自動的に画角を変化させる。しかし、必ずしもユーザの意図する構図が得られるとは限らない。また特許文献１には、ユーザが意図する構図で撮影を行うための拡大表示方法については開示されていない。
【０００７】
そこで本発明は、所望の構図の画像を簡易かつ適切に取得可能な制御装置、撮像装置、プログラム、および、記憶媒体を提供する。
【課題を解決するための手段】
【０００８】
本発明の一側面としての制御装置は、拡大ライブビュー表示を行うために、撮像手段から出力された画像信号に基づく画像データの一部を切り出す画像処理手段と、被写体から第１の距離に位置する状態で決定された構図となるように、該被写体から第２の距離に位置する場合における前記拡大ライブビュー表示の拡大率を算出する算出手段とを有し、前記算出手段は、前記第１の距離に位置する状態で決定されたデフォーカス量に基づいて、前記第２の距離に位置する場合における前記拡大率を算出する。
【０００９】
本発明の他の側面としての制御装置は、撮像手段から出力された画像信号に基づく画像データの一部を切り出す画像処理手段と、第１のズームレンズ位置でデフォーカス量を算出するデフォーカス量算出手段と、前記デフォーカス量に基づいて、該第１のズームレンズ位置よりも広角側である第２のズームレンズ位置にズームレンズを駆動する駆動手段とを有し、前記画像処理手段は、前記第１のズームレンズ位置で決定された構図となるように、前記第２のズームレンズ位置で取得された前記画像データの一部を切り出す。
【００１０】
本発明の他の側面としての撮像装置は、撮像光学系を介して形成された被写体像を光電変換して画像信号を出力する撮像手段と、前記画像信号に基づく画像データの一部を切り出す画像処理手段と、前記画像データの一部に対して拡大ライブビュー表示を行う表示手段と、被写体から第１の距離に位置する状態で決定された構図となるように、該被写体から第２の距離に位置する場合における前記拡大ライブビュー表示の拡大率を算出する算出手段とを有し、前記算出手段は、前記第１の距離に位置する状態で決定されたデフォーカス量に基づいて、前記第２の距離に位置する場合における前記拡大率を算出する。
【００１１】
本発明の他の側面としての撮像装置は、撮像光学系を介して形成された被写体像を光電変換して画像信号を出力する撮像手段と、前記画像信号に基づく画像データの一部を切り出す画像処理手段と、第１のズームレンズ位置でデフォーカス量を算出するデフォーカス量算出手段と、前記デフォーカス量に基づいて、該第１のズームレンズ位置よりも広角側である第２のズームレンズ位置にズームレンズを駆動する駆動手段とを有し、前記画像処理手段は、前記第１のズームレンズ位置で決定された構図となるように、前記第２のズームレンズ位置で取得された前記画像データの一部を切り出す。
【００１２】
本発明の他の側面としてのプログラムは、被写体から第１の距離に位置する状態でデフォーカス量を算出するステップと、前記被写体から前記第１の距離に位置する状態で決定された構図となるように、該被写体から第２の距離に位置する場合における前記拡大ライブビュー表示の拡大率を算出するステップと、撮像手段から出力された画像信号に基づく画像データの一部を切り出して拡大ライブビュー表示を行うステップと、をコンピュータに実行させるプログラムであって、前記拡大率を算出するステップにおいて、前記第１の距離に位置する状態で決定されたデフォーカス量に基づいて前記第２の距離に位置する場合における前記拡大率を算出する。
【００１３】
本発明の他の側面としてのプログラムは、第１のズームレンズ位置でデフォーカス量を算出するステップと、前記デフォーカス量に基づいて、該第１のズームレンズ位置よりも広角側である第２のズームレンズ位置にズームレンズを駆動するステップと、撮像手段から出力された画像信号に基づく画像データの一部を切り出して記録するステップと、をコンピュータに実行させるプログラムであって、前記画像データの一部を切り出すステップにおいて、前記第１のズームレンズ位置で決定された構図となるように、前記第２のズームレンズ位置で取得された前記画像データの一部を切り出して記録する。
【００１４】
本発明の他の側面としての記憶媒体は、前記プログラムを記憶している。
【００１５】
本発明の他の目的及び特徴は、以下の実施例において説明される。
【発明の効果】
【００１６】
本発明によれば、所望の構図の画像を簡易かつ適切に取得可能な制御装置、撮像装置、プログラム、および、記憶媒体を提供することができる。
【図面の簡単な説明】
【００１７】
【図１】実施例１における撮像装置のブロック図である。
【図２】実施例１における制御方法を示すフローチャートである。
【図３】実施例１における撮影の様子を示す図である。
【図４】実施例１において、ユーザが近距離４０２ａに位置する状態で撮影される非合焦画像（表示部に表示される非合焦画像）である。
【図５】実施例１において、ユーザが中距離４０２ｂに位置する状態で撮影される非合焦画像である。
【図６】実施例１において、ユーザが中距離４０２ｂに位置する状態で表示部に表示される非合焦画像である。
【図７】実施例１において、ユーザが遠距離４０２ｃに位置する状態で撮影されるに非合焦画像である。
【図８】実施例１において、ユーザが遠距離４０２ｃに位置する状態で表示部に表示される合焦画像である。
【図９】実施例１における拡大率表示バーの説明図である。
【図１０】実施例１における拡大率の算出方法の説明図である。
【図１１】実施例２における撮像装置ブロック図である。
【図１２】実施例２における制御方法を示すフローチャートである。
【図１３】実施例２における撮影の様子を示す図である。
【図１４】実施例２において、第１のズームレンズ位置で表示部に表示される非合焦画像である。
【図１５】実施例２において、第２のズームレンズ位置で撮影される合焦画像である。
【図１６】実施例２において、第２のズームレンズ位置で表示部に表示される合焦画像である。
【発明を実施するための形態】
【００１８】
以下、本発明の実施例について、図面を参照しながら詳細に説明する。
【実施例１】
【００１９】
まず、図１を参照して、本発明の実施例１における撮像装置について説明する。図１は、本実施例における撮像装置１００のブロック図である。本実施例において、撮像装置１００は、レンズ１０１（交換レンズ）が着脱可能なカメラ本体である。ただし本実施例はこれに限定されるものではなく、撮像装置１００は、レンズ１０１とカメラ本体とが一体的に構成されたカメラであってもよい。
【００２０】
レンズ１０１は、被写体像（光学像）を形成する撮像光学系である。撮像部１０２（撮像手段）は、レンズ１０１を介して形成された被写体像を光電変換し、画像信号を出力する。撮像部１０２は、例えばＣＭＯＳセンサやＣＣＤセンサ、および、その周辺回路により構成された撮像素子を有する。増幅器１０３（Ａｍｐｌｉｆｉｅｒ：ＡＭＰ）は、撮像部１０２から出力された画像信号（アナログ信号）を増幅する。Ａ／Ｄ変換器１０４（Ａｎａｌｏｇ−ｔｏ−Ｄｉｇｉｔａｌ  Ｃｏｎｖｅｒｔｅｒ：ＡＤＣ）は、増幅器１０３により増幅されたアナログ信号をデジタル信号に変換する。
【００２１】
制御部１０５（Ｃｅｎｔｒａｌ  Ｐｒｏｃｅｓｓｉｎｇ  Ｕｎｉｔ：ＣＰＵ）は、撮像装置１００の各部を制御する制御装置であり、Ａ／Ｄ変換器１０４から出力されたデジタル信号（画像データ）に対して種々の演算や画像処理を行う。制御部１０５は、取込範囲制御部１１１（画像処理手段）および拡大率算出部１１２（算出手段）を有する。取込範囲制御部１１１は、Ａ／Ｄ変換器１０４から出力されたデジタル信号（画像データ）の演算、画像処理、および、画像信号の取込範囲の更新などを行う。拡大率算出部１１２は、拡大ライブビュー表示の拡大率（倍率）を算出する。
【００２２】
表示部１０６は、ＴＦＴ液晶などの液晶表示装置であり、制御部１０５から出力される画像データを表示する。本実施例において、表示部１０６は、画像データの一部に対して拡大ライブビュー表示を行う。メモリ１０７（記憶部）は、例えばＦＲＯＭやＤＲＡＭなどを有し、制御部１０５による演算に必要な情報などを記憶する。例えば、メモリ１０７は、拡大率の閾値情報（所定の閾値）、および、主被写体の位置の移動量に関する閾値情報を記憶する。記録媒体１０８は、例えばＳＤやＣＦなどであり、画像データ（撮影画像）を記録する。本実施例において、記録媒体１０８は、拡大ライブビュー表示動作中に、表示部１０６に表示された画像（取込範囲制御部１１１により切り出された画像）を記録することができる。操作部１０９は、釦スイッチなどであり、ユーザが撮像装置１００の各種操作を行うために用いられる。Ａ／Ｄ変換器１０４、制御部１０５、表示部１０６、メモリ１０７、および、記録媒体１０８は、バスライン１１０を介して互いに接続されており、画像データなどの各種データの通信が可能である。
【００２３】
次に、図２を参照して、拡大率の算出方法を含む制御方法について説明する。図２は、本実施例における制御方法を示すフローチャートである。図２の各ステップは、制御部１０５がメモリ１０７に格納されたプログラムを展開して実行することにより実現される。
【００２４】
まずステップＳ１０１において、ユーザは、複数の焦点検出領域（焦点検出点）から、任意の焦点検出領域を選択する。続いてステップＳ１０２において、制御部１０５は、ステップＳ１０１にて選択された焦点検出領域に関し、合焦可能であるか否かを判定する。合焦可能である場合、制御部１０５はレンズ１０１に含まれるフォーカスレンズを駆動してフォーカス制御を行い、本フローを終了する。
【００２５】
一方、ステップＳ１０２にて合焦が可能でない場合（合焦不可能の場合）、ステップＳ１０３へ進む。ステップＳ１０３において、制御部１０５は、操作部１０９に含まれる拡大ライブビュー表示動作移行釦（拡大ライブビュー釦）が押されているか否か、すなわち拡大ライブビューモードが設定されているか否かを判定する。拡大ライブビュー表示動作移行釦が押されていない場合、ステップＳ１１９へ進む。ステップＳ１１９において、合焦が不可能であるため、制御部１０５は表示部１０６を用いて非合焦通知を行い、本フローを終了する。
【００２６】
一方、ステップＳ１０３にて拡大ライブビュー表示動作移行釦が押されている場合、ステップＳ１０４へ進む。ステップＳ１０４において、制御部１０５は、主被写体に関するデフォーカス量（被写体から第１の距離に位置する場合のデフォーカス量）を算出する。続いてステップＳ１０５において、制御部１０５は、ステップＳ１０４にて算出したデフォーカス量に基づいて、主被写体の合焦時における拡大率（最大拡大率）を算出する。このとき算出される拡大率は、被写体から第１の距離に位置する状態で決定された構図を実現するための、被写体から第２の距離に位置する場合における拡大ライブビュー表示の拡大率である。
【００２７】
続いてステップＳ１０６において、制御部１０５は、ステップＳ１０５にて算出した拡大率（最大拡大率）が所定の閾値以上（所定の拡大率以上）であるか否かを判定する。最大拡大率が所定の閾値以上である場合、ステップＳ１０７へ進む。ステップＳ１０７において、制御部１０５は、表示部１０６に画質劣化予測を示す警告表示を行い、本フローを終了する。
【００２８】
一方、ステップＳ１０６にて最大拡大率が所定の閾値未満である場合、ステップＳ１０８へ進む。ステップＳ１０８において、制御部１０５は、ステップＳ１０５にて算出した主被写体の合焦時における拡大率（最大拡大率）を表示部１０６に表示する。続いてステップＳ１０９において、制御部１０５は、表示部１０６（撮像装置１００の背面液晶）を用いて拡大ライブビュー表示動作を行う。
【００２９】
続いてステップＳ１１０において、制御部１０５は、表示部１０６を用いて、主被写体から離れるようにユーザに通知する。続いてステップＳ１１１において、制御部１０５は、現在のデフォーカス量（ユーザが主被写体から離れた後の撮像装置１００と主被写体との間の距離（第３の距離）に関するデフォーカス量）を算出する。続いてステップＳ１１２において、制御部１０５は、ステップＳ１１１にて算出したデフォーカス量に基づいて、主被写体の拡大率（更新拡大率）を算出し（拡大率を更新し）、表示部１０６に表示される画像を更新する。続いてステップＳ１１３において、制御部１０５は、表示部１０６に表示される拡大率表示バー（拡大率に関する情報）を更新する。続いてステップＳ１１４において、制御部１０５は、拡大ライブビューボタンが押された構図に対応する主被写体の位置と、現在の構図に対応する主被写体の位置とに基づいて、主被写体の移動量を算出する。
【００３０】
続いてステップＳ１１５において、制御部１０５は、ステップＳ１１４にて算出した主被写体の移動量が所定の閾値以上（所定の移動量以上）であるか否かを判定する。主被写体の移動量が所定の閾値以上である場合、ステップＳ１１６へ進む。ステップＳ１１６において、制御部１０５は、表示部１０６を用いて、構図の変化が大きいことを示す警告表示を行い、ステップＳ１１７へ進む。
【００３１】
一方、ステップＳ１１５にて主被写体の移動量が所定の閾値未満である場合、ステップＳ１１７へ進む。ステップＳ１１７において、制御部１０５は、現在の拡大率がステップＳ１０５にて算出された最大拡大率と等しいか否かを判定する。現在の拡大率が最大拡大率と等しくない場合、ステップＳ１１１へ戻り、ステップＳ１１１〜Ｓ１１７を繰り返す。
【００３２】
一方、ステップＳ１１７にて現在の拡大率が最大拡大率と等しい場合、ステップＳ１１８へ進む。ステップＳ１１８において、制御部１０５は、合焦通知を行う。ステップＳ１１９において、合焦可能であるため、制御部１０５は表示部１０６を用いて合焦通知を行い、本フローを終了する。
【００３３】
次に、図３乃至図９を参照して、撮像装置１００を用いた撮影方法について説明する。図３は、本実施例における撮影の様子を示す図である。図３において、ユーザ４０２（４０２ａ、４０２ｂ、４０２ｃ）は、デジタル一眼レフカメラ、コンパクトデジタルカメラ、または、カメラ機能を有するスマートフォンなどの撮像装置１００を用いて、被写体４０１である机上に並べられた菓子を撮影する。このときユーザ４０２は、被写体４０１に対する撮影距離を近距離４０２ａ、中距離４０２ｂ、遠距離４０２ｃと変化させて撮影を行う。ここで、撮像装置１００の最短合焦距離４０３は、ユーザが遠距離４０２ｃに位置する場合における被写体４０１とユーザ４０２との間の距離に等しい。
【００３４】
図４は、ユーザが近距離４０２ａに位置する状態で撮影される非合焦画像（表示部１０６に表示される非合焦画像）である。図４において、焦点検出領域４０４が示されているが、被写体４０１と撮像装置１００（ユーザ４０２）との距離は最短合焦距離４０３よりも短いため、図４の画像は非合焦状態である。ユーザが近距離４０２ａに位置する状態で得られる構図と同一の構図で撮影したい場合、ユーザは撮像装置１００の拡大ライブビュー表示動作釦を押す。
【００３５】
図５は、ユーザが中距離４０２ｂに位置する状態で撮影される非合焦画像である。図６は、ユーザが中距離４０２ｂに位置する状態で表示部１０６に表示される非合焦画像である。図６に示される画像は、図５における範囲５０１ｂ（拡大ライブビュー取込範囲）の画像と一致する。ユーザが中距離４０２ｂに位置する状態においても、被写体４０１とユーザ４０２との距離は最短合焦距離４０３より短いため、図５および図６の画像は非合焦状態である。
【００３６】
図５および図６において、拡大率表示バー６０１は、拡大ライブビュー表示状態であることを示し、表示部１０６の左上に表示される。図９は、拡大率表示バー６０１の説明図である。図９において、拡大率表示バー６０１の白枠６０１ａは、非合焦領域を示している。白枠６０１ａの左端６０１ｃは、拡大ライブビュー表示動作（拡大ライブビューモード）が選択された位置を意味する。本実施例において、拡大ライブビュー表示動作が選択された位置は、近距離４０２ａの位置に相当する。拡大率表示バー６０１の黒枠６０１ｂは、合焦領域を示している。黒棒６０１ｄは、ユーザの現在位置を示している。すなわち、ユーザ４０２と被写体４０１との間の距離が離れるにつれて、ユーザの現在位置を示す黒棒６０１ｄは、合焦領域を示す黒枠６０１ｂに近づく方向（図９中の右方向）に移動する。また、ユーザ４０２と被写体４０１との間の距離が最短合焦距離４０３と一致する場合、ユーザの現在位置を示す黒棒６０１ｄは、非合焦領域を示す白枠６０１ａと合焦領域を示す黒枠６０１ｂとの境界６０１ｅに位置することになる。
【００３７】
図５および図６に示されるように、拡大率表示バー６０１の右隣には、拡大ライブビュー表示であることを示す「Ｄ−Ｚｏｏｍ」の文字と、現在の拡大率（１．２倍）および合焦最至近距離における拡大率（１．４倍）が表示される。なお、本実施例における拡大ライブビュー表示動作の通知方法、位置の表示方法、および、拡大率の表示方法は、これらに限定されるものではない。
【００３８】
図７は、ユーザが遠距離４０２ｃに位置する状態で撮影される合焦画像である。図８は、ユーザが遠距離４０２ｃに位置する状態で表示部１０６に表示される合焦画像である。図８に示される画像は、図７における範囲５０１ｃ（拡大ライブビュー取込範囲）の画像と一致する。ユーザが遠距離４０２ｃに位置する場合、被写体４０１とユーザ４０２との距離は最短合焦距離４０３と一致するため、ユーザが撮影したい構図を有する合焦画像の撮影が可能となる。
【００３９】
次に、図１０を参照して、拡大率の算出方法について説明する。図１０は、拡大率の算出方法の説明図であり、被写体が結像する様子を示している。図１０には、レンズ１０１、撮像部１０２、合焦位置に存在する被写体４０１ａ、および、合焦位置よりも近い位置に存在する被写体４０１ｂが示されている。
【００４０】
被写体４０１ａが最至近距離に位置する場合、焦点距離Ｆおよび倍率Ｍは、それぞれ、以下の式（１）、（２）のように表される。ここで焦点距離Ｆは、撮像装置１００または撮像装置１００に装着されているレンズ１０１に応じて決定され、既知の値である。レンズ１０１の位置（ズームレンズ位置）における焦点距離情報をメモリ１０７に予め記憶させておいてもよい。
【００４１】
Ｆ＝１／ａ＋１／ｂ  …  （１）
Ｍ＝ｂ／ａ                …  （２）
式（１）、（２）において、ａは被写体４０１ａからレンズ１０１までの距離、ｂはレンズ１０１から撮像部１０２の撮像面までの距離である。被写体が最至近距離よりも撮像部１０２の撮像面に近い位置に存在する場合、焦点距離Ｆ’および倍率Ｍ’は、それぞれ、以下の式（１ａ）、（２ａ）のように表される。
【００４２】
Ｆ’＝１／ａ’＋１／ｂ’  …  （１ａ）
Ｍ’＝ｂ’／ａ’                …  （２ａ）
式（１ａ）、（２ａ）において、ａ’、ｂ’は、それぞれ、以下の式（３）、（４）のように表される。
【００４３】
ａ’＝ａ−ｄ        …  （３）
ｂ’＝ｂ＋ｄ        …  （４）
式（３）、（４）において、ｄはデフォーカス量である。デフォーカス量ｄは、レンズ１０１の位置（繰り出し位置）に基づいて算出可能である。拡大ライブビュー表示動作における拡大率Ｒは、式（２）、（２ａ）に示されるレンズ１０１のそれぞれの位置における倍率Ｍ、Ｍ’の比であり、以下の式（５）のように表される。
【００４４】
Ｒ＝Ｍ／Ｍ’        …  （５）
このように本実施例において、制御装置（制御部１０５）は、画像処理手段（取込範囲制御部１１１）および算出手段（拡大率算出部１１２）を有する。画像処理手段は、拡大ライブビュー表示を行うために、撮像手段（撮像部１０２）から出力された画像信号に基づく画像データの一部を切り出す。算出手段は、被写体から第１の距離に位置する状態で決定された構図となるように、被写体から第２の距離に位置する場合における拡大ライブビュー表示の拡大率（倍率）を算出する。そして算出手段は、第１の距離に位置する状態で決定されたデフォーカス量に基づいて、第２の距離に位置する場合における拡大率を算出する。
【００４５】
好ましくは、算出手段は、非合焦状態で決定されたデフォーカス量に基づいて、合焦状態における拡大ライブビュー表示の拡大率を算出する。また好ましくは、第２の距離は、最短合焦距離である。また好ましくは、算出手段は、前記拡大ライブビュー表示の拡大率が所定の拡大率よりも大きい場合、表示手段（表示部１０６）に警告を表示する（Ｓ１０６、Ｓ１０７）。また好ましくは、算出手段は、第１の距離と第２の距離との差が所定の距離よりも大きい場合、表示手段に警告を表示する（Ｓ１１５、Ｓ１１６）。
【００４６】
好ましくは、算出手段は、拡大ライブビュー表示の拡大率を表示手段に表示する（Ｓ１０８）。より好ましくは、算出手段は、ユーザが被写体から離れるにつれて、拡大ライブビュー表示の拡大率を更新して表示手段に表示する（Ｓ１１２）。また好ましくは、算出手段は、被写体から第３の距離に位置する場合に決定されたデフォーカス量に基づいて、拡大ライブビュー表示の更新拡大率を算出する。そして算出手段は、更新拡大率が拡大率と等しい場合、第３の距離は第２の距離と等しいと判定する（Ｓ１１７、Ｓ１１８）。
【００４７】
本実施例によれば、拡大ライブビュー表示の拡大率を算出することにより、所望の構図を維持しながら適切な画像を取得可能な制御装置および撮像装置を提供することができる。
【実施例２】
【００４８】
次に、図１１を参照して、本発明の実施例２における撮像装置について説明する。図１１は、本実施例における撮像装置１００ａのブロック図である。本実施例の撮像装置１００ａは、レンズ通信部１１３を有する点、および、制御部１０５に代えて制御部１０５ａを有する点で、実施例１の撮像装置１００とは異なる。撮像装置１００ａの他の構成は、実施例１の撮像装置１００と同様であるため、それらの説明は省略する。
【００４９】
制御部１０５ａ（制御装置としてのＣＰＵ）は、Ａ／Ｄ変換器１０４から出力されたデジタル信号（画像データ）の演算、画像処理、および、画像信号の取込範囲を更新する取込範囲制御部１１１（画像処理手段）を有する。制御部１０５ａは、至近トリミングモード移行フラグが立っているか否かの判定を含む種々の演算を行う。また制御部１０５ａは、デフォーカス量算出部１１４（デフォーカス量算出手段）、駆動部１１５（駆動手段）、および、警告部１１６（警告手段）を有する。デフォーカス量算出部１１４は、レンズ１０１の特定の位置（第１のズームレンズ位置）におけるデフォーカス量を算出する。駆動部１１５は、デフォーカス量に基づいて、第１のズームレンズ位置よりも広角側である第２のズームレンズ位置にズームレンズを駆動する。警告部１１６は、第１のズームレンズ位置から第２のズームレンズ位置までの駆動量が所定の駆動量よりも大きい場合、表示部１０６に警告を表示する。
【００５０】
メモリ１０７は、所定のレンズ駆動量に関する閾値情報や代表ズームレンズ位置における焦点距離情報を記憶する。レンズ通信部１１３は、レンズ１０１における絞り制御やズーム制御に関する通信を行う。本実施例の操作部１０９は、至近トリミングモード移行釦を含む。本実施例において、記録媒体１０８は、至近トリミングモードにおいて、取込範囲制御部１１１により切り出された画像を記録することができる。
【００５１】
次に、図１２を参照して、撮像装置の駆動方法を含む制御方法について説明する。図１２は、本実施例における制御方法を示すフローチャートである。図１２の各ステップは、制御部１０５ａがメモリ１０７に格納されたプログラムを展開して実行することにより実現される。
【００５２】
まずステップＳ２０１において、ユーザは、複数の焦点検出領域（焦点検出点）から、任意の焦点検出領域を選択する。続いてステップＳ２０２において、制御部１０５ａは、ステップＳ２０１にて選択された焦点検出領域に関し、合焦可能であるか否かを判定する。合焦可能である場合、制御部１０５ａはレンズ１０１に含まれるフォーカスレンズを駆動してフォーカス制御を行い、本フローを終了する。
【００５３】
一方、ステップＳ２０２にて合焦が可能でない場合（合焦不可能の場合）、ステップＳ２０３へ進む。ステップＳ２０３において、制御部１０５ａは、至近トリミングモード移行フラグが立っているか否かを判定する。至近トリミングモード移行フラグが立っている場合、ステップＳ２０２へ戻る。一方、至近トリミングモード移行フラグが立っている場合、ステップＳ２０４へ進む。
【００５４】
ステップＳ２０４において、制御部１０５ａは、主被写体に関するデフォーカス量を算出する。続いてステップＳ２０５において、制御部１０５は、ステップＳ２０４にて算出したデフォーカス量に基づいて、レンズ１０１の駆動量（ズームレンズ駆動量）を算出する。続いてステップＳ２０６において、制御部１０５ａは、ステップＳ２０５にて算出した駆動量が所定の閾値以上（所定の駆動量以上）であるか否かを判定する。レンズ１０１の駆動量が所定の閾値以上である場合、ステップＳ２０７へ進む。ステップＳ２０７において、制御部１０５ａは、表示部１０６に警告表示を行い、本フローを終了する。ここで、警告表示は、画質劣化の警告や、レンズ１０１の駆動量が装着レンズにおける焦点距離外であることを示す警告などの表示であるが、これらに限定されるものではない。
【００５５】
一方、ステップＳ２０６にて駆動量が所定の閾値未満である場合、ステップＳ２０８へ進む。ステップＳ２０８において、制御部１０５ａは、レンズ１０１（ズームレンズ）をステップＳ２０５にて算出した駆動量に基づいて駆動する。続いてステップＳ２０９において、制御部１０５ａは、表示部１０６（背面液晶）において、至近トリミングモード表示を行う。続いてステップＳ２１０において、制御部１０５ａは合焦通知を行う。この結果、第１のズームレンズ位置で決定された構図となるように、第２のズームレンズ位置で取得された画像データの一部を切り出して記録することができる。
【００５６】
次に、図１３乃至図１６を参照して、本実施例における撮影方法について説明する。図１３は、本実施例における撮影の様子を示す図である。図１３において、ユーザ１４０２は、デジタル一眼レフカメラ、コンパクトデジタルカメラ、または、カメラ機能を有するスマートフォンなどの撮像装置１００ａを用いて、被写体１４０１である机上に並べられた菓子を撮影する。このとき、撮像装置１００ａに装着されたレンズ１０１のズームレンズの位置は、第１のズームレンズ位置である。
【００５７】
図１４は、図１３の状態で撮影される非合焦画像（表示部１０６に表示される非合焦画像）である。図１４において、焦点検出領域１４０４が示されているが、被写体１４０１と撮像装置１００ａ（ユーザ１４０２）との距離は第１のズームレンズ位置における合焦距離よりも短いため、図１４の画像は非合焦状態である。この状態において、ユーザ１４０２は合焦画像を取得することはできない。このとき制御部１０５ａは、表示部１０６に合焦不可能である通知を表示してもよい。図１４に示される構図で撮影したい場合、ユーザは撮像装置１００ａの至近トリミングモード移行釦を押す。または、ユーザは、メニュー画面などを介して、釦の入力有無に関わらず自動的に至近トリミングモードに移行するように予め設定しておいてもよい。
【００５８】
図１５は、ズームレンズの位置が第２のズームレンズ位置である場合に撮影される合焦画像である。第２のズームレンズ位置は、第１のズームレンズ位置に比べて広角側にある。このため、図１５の撮影範囲は、図１４の撮影範囲に比べて広い。図１６は、第２のズームレンズ位置で表示部に表示される合焦画像である。図１６の表示範囲は、図１５におけるトリミング範囲１５０１ｂに一致する。この状態において、被写体１４０１とユーザ１４０２との距離は、第２のズームレンズ位置における合焦距離と一致するため、ユーザが撮影したい構図を有する合焦画像の撮影が可能となる。
【００５９】
図１６に示されるように、至近トリミングモード表示状態であることを示す拡大率表示は、表示部１０６の左上に表示される。図１６において、トリミングおよび拡大動作を行っていることを示す「Ｄ−ｚｏｏｍ」の文字および拡大率の１．４が示されている。なお、本実施例における至近トリミングモード表示動作の通知方法、および、拡大率の表示方法は、これらに限定されるものではない。
【００６０】
至近トリミングモードにおける制御は、図１０を参照して実施例１にて説明した方法を用いて拡大率Ｒを算出し、拡大率Ｒから算出したズームレンズ駆動量の分だけ、ズームレンズを広角側へ駆動することにより実現可能である。表示部１０６には、撮影画像に関して算出された拡大率で拡大した画像が表示される。その拡大率は、表示部１０６左上に表示される。
【００６１】
このように本実施例において、制御装置（制御部１０５ａ）は、画像処理手段（取込範囲制御部１１１）、デフォーカス量算出手段（デフォーカス量算出部１１４）、および、駆動手段（駆動部１１５）を有する。画像処理手段は、撮像手段（撮像部１０２）から出力された画像信号に基づく画像データの一部を切り出す。デフォーカス量算出手段は、第１のズームレンズ位置でデフォーカス量を算出する。駆動手段は、デフォーカス量に基づいて、第１のズームレンズ位置よりも広角側である第２のズームレンズ位置にズームレンズ（レンズ１０１）を駆動する。そして画像処理手段は、第１のズームレンズ位置で決定された構図となるように、第２のズームレンズ位置で取得された画像データの一部を切り出す。
【００６２】
好ましくは、制御装置は、第１のズームレンズ位置から第２のズームレンズ位置までの駆動量が所定の駆動量よりも大きい場合、表示手段（表示部１０６）に警告を表示する警告手段（警告部１１６）を有する（Ｓ２０６）。より好ましくは、その警告は、画質劣化警告、または、被写体が焦点距離の範囲外に位置することを示す警告である。
【００６３】
好ましくは、駆動手段は、デフォーカス量に基づいて駆動量を算出する（Ｓ２０５）。また好ましくは、画像処理手段は、トリミングモードに設定されている場合、第１のズームレンズ位置で決定された構図となるように、第２のズームレンズ位置で取得された画像データの一部を切り出す（Ｓ２０３）。
【００６４】
このように本実施例によれば、撮像装置から被写体までの距離が第１のズームレンズ位置で合焦可能な距離よりも近い場合、表示部に合焦不可能である通知が表示される。このため、ユーザが誤って合焦していない画像を撮影しまう可能性を低減することができる。また、至近トリミングモード移行釦が押された場合、ズームレンズは第１のズームレンズ位置から第１のズームレンズ位置よりも広角側に位置する第２のズームレンズ位置にシフト（移動）するため、合焦が可能となる。なお、メニュー画面などを介して、釦の入力有無に関わらず自動的に至近トリミングモードに移行するように予め設定されている場合、至近トリミングモード移行釦を押す必要はない。この場合、シームレスに至近トリミングモードに移行するため、ユーザの作業負担を減らすことが可能である。画像の取込範囲は、ズームレンズのシフト量（駆動量）に応じて制御されるため、第１のズームレンズ位置における構図を維持した状態で合焦画像を取得することが可能である。
【００６５】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６６】
以上、本発明の好ましい実施例について説明したが、本発明はこれらの実施例に限定されず、その要旨の範囲内で種々の変形及び変更が可能である。
【符号の説明】
【００６７】
１００、１００ａ  撮像装置
１１１  取込範囲制御部（画像処理手段）
１１２  拡大率算出部（算出手段）
【図１】
2017011658.tif 000003
【図２】
2017011658.tif 000004
【図３】
2017011658.tif 000005
【図４】
2017011658.tif 000006
【図５】
2017011658.tif 000007
【図６】
2017011658.tif 000008
【図７】
2017011658.tif 000009
【図８】
2017011658.tif 000010
【図９】
2017011658.tif 000011
【図１０】
2017011658.tif 000012
【図１１】
2017011658.tif 000013
【図１２】
2017011658.tif 000014
【図１３】
2017011658.tif 000015
【図１４】
2017011658.tif 000016
【図１５】
2017011658.tif 000017
【図１６】
2017011658.tif 000018